(57)【要約】【課題】光ファイバーケーブル収納箱の小型化を図ると共に光ファイバーケーブルの引込方向の自由度を高める。【解決手段】光ファイバーケーブル収納箱１０は、箱内部に光ファイバーケーブルを引き込み、巻回状態で収納する。光ファイバーケーブル収納箱１０は、光ファイバーケーブルの巻回方向が同一となるように、箱周壁１１の対角位置に第１引込部１２１及び第２引込部１２２を設けると共に、底板部１３にも第３引込部１２３を設ける。各引込部１２１〜１２３の箱内部側には引込方向の規制及び光ファイバーケーブルの保持を行う保持部１６１〜１６３を設け、底面部１３には巻回部１４を設け、限られた面積で安定した巻回状態を確保する。【選択図】　　　　図１
2004061984.tif 000002
【特許請求の範囲】
【請求項１】
引込部を通じて外部から箱内部へ引き込んだ光ファイバーケーブルを巻回して収納する光ファイバーケーブル収納箱において、
前記引込部は複数であり、
前記各引込部は、一方向の巻回方向となるように、光ファイバーケーブルの引込方向が規制される位置に設けてあることを特徴とする光ファイバーケーブル収納箱。
【請求項２】
前記引込部は箱周壁に設けてあり、溝状又は穴状をなしてある請求項１に記載の光ファイバーケーブル収納箱。
【請求項３】
前記箱周壁は角部を備え、
前記引込部は前記周壁部の角部に設けてある請求項２に記載の光ファイバーケーブル収納箱。
【請求項４】
前記箱周壁の直交面に設けてある光ファーバーケーブルの巻回用の巻回部を備え、
前記引込部は前記直交面における前記巻回部の巻回周面の内側に設けてあり、穴状をなしてある請求項１乃至請求項３のいずれかに記載の光ファイバーケーブル収納箱。
【請求項５】
前記引込部は箱内部に光ファイバーケーブルの保持部を備える請求項１乃至請求項４のいずれかに記載の光ファイバーケーブル収納箱。
【請求項６】
請求項１乃至請求項５のいずれかの光ファイバーケーブル収納箱と、
該光ファイバーケーブル収納箱に積層結合してあり、光電変換及び／又は電光変換を行う変換手段を収納する変換手段収納箱と
を備えることを特徴とする信号変換装置。
【発明の詳細な説明】
【０００１】
【発明の属する技術分野】
本発明は、光ファイバーケーブルを収納するものであって、特に、複数の方向から光ファイバーケーブルを箱内部に引込可能にした光ファイバーケーブル収納箱及び信号変換装置に関する。
【０００２】
【従来の技術】
建物等の内部に導かれた光ファイバーケーブルは、通常、様々な接続状況に対応できるように、必要なケーブル長に対して余長となる余長部分が設けられており、このような余長部分は、配線作業の妨げ及び損傷等の防止のため、光ファイバーケーブル収納箱に巻回された状態で収納される。この光ファイバーケーブル収納箱は種々のものが存在しており、光電変換等を行う信号変換器と組み合わされて信号変換装置を形成することが多い。
【０００３】
図９は、従来の信号変換装置１を示しており、信号変換装置１は基板１ａ上に配置された信号変換器２及び光ファイバーケーブル収納箱３を組み合わせて構成されている。光ファイバーケーブル収納箱３は、矩形状の周壁４の一部に引込部５を設けており、この引込部５を通じて箱内部に光ファイバーケーブルＦを引き込んでいる。
【０００４】
光ファイバーケーブルＦは、余長部分となる端末側の被覆樹脂Ｆｂを除去した心線Ｆａを箱内部で巻回している。なお、巻回の際は、光ファイバーケーブルＦにおける通信性確保のため、ケーブル規格に応じた曲率半径以上の曲率で巻回する必要があり、光ファイバーケーブル収納箱３は、この曲率半径を維持できる寸法を有する。
【０００５】
また、巻回された心線Ｆａの先端にはコネクタＣが取り付けられており、このコネクタＣを信号変換器２との接続箇所となるレセプタクル２ａへ挿入し、光ファイバーケーブルＦと信号変換器２との接続を行っている。さらに、光ファイバーケーブル収納箱３の周壁４の開口側にカバー６を取り付けると共に、全体を被うアッパーケース７を取り付けて信号変換装置１を完成する。
【０００６】
【発明が解決しようとする課題】
光ファイバーケーブル収納箱３は、周壁４に引込部５を一箇所のみしか設けていないので、光ファイバーケーブルＦが信号変換装置１まで導かれる箇所と、引込部５とが一致しない場合、光ファイバーケーブルＦを引込部５まで引き回す必要があり、光ファイバーケーブルＦの引込性が良好でない問題がある。
【０００７】
なお、このような問題に対して、図１０に示すように、光ファイバーケーブル収納箱３に二つ目の引込部８を新たに設けることも想定できる。しかし、闇雲に引込部８を設けても、信号変換器２の位置は固定なので、引き込んだ光ファイバーケーブルＦの巻回方向（図中黒矢印で示す）と、信号変換器２のレセプタクル２ａの接続方向（図中白矢印で示す）が一致しない。よって、このような引込部８から引き込まれた光ファイバーケーブルＦは、所要の曲率半径を維持して信号変換器２と接続できず、新たに引込部８を設けても上述した問題を解決できない。
【０００８】
さらに、建物外部から建物の室内に光ファイバーケーブルＦを導く場合は、図１１に示すように、建物の壁Ｗに設けた穴Ｗａを通じて光ファイバーケーブルＦを室内に引き出すことが多い。このような場合、室内の見栄えを良くするため、壁Ｗの穴Ｗａをふさぐように信号変換装置１を取り付けることが望まれる。しかし、信号変換装置１で穴Ｗａをふさぐと、光ファイバーケーブル収納箱３の箱内部に光ファイバーケーブルＦを引き込むことはおろか、光ファイバーケーブルＦ自体を室内に引き出せない問題もある。
【０００９】
さらに、また、図９に示すように、信号変換装置１は同一基板１ａ上に光ファイバーケーブル収納箱３及び信号変換器２を並設する構成のため、平面視方向の占有面積が大きくなり、信号変換装置１の良好な取扱性を確保できない問題がある。また、光ファイバーケーブル収納箱３は、箱内部に引き込んだ心線Ｆａを単に巻回しているだけなので、安定した巻回状況を確保するのが容易でない問題もある。
【００１０】
本発明は、斯かる問題に鑑みてなされたものであり、光ファイバーケーブルの巻回方向を考慮して、複数の引込部を設けることにより、光ファイバーケーブルの引込自由度を向上した光ファイバーケーブル収納箱及び信号変換装置を提供することを目的とする。
【００１１】
また、本発明は、各引込部に保持部を設けると共に巻回部を設けることで、巻回される光ファイバーケーブルの引込方向を規制し、安定した巻回状況を確保した上で、光ファイバーケーブル収納箱自体を小型化した光ファイバーケーブル収納箱及び信号変換装置を提供することを目的とする。
【００１２】
【課題を解決するための手段】
第１発明に係る光ファイバーケーブル収納箱は、引込部を通じて外部から箱内部へ引き込んだ光ファイバーケーブルを巻回して収納する光ファイバーケーブル収納箱において、前記引込部は複数であり、前記各引込部は、一方向の巻回方向となるように、光ファイバーケーブルの引込方向が規制される位置に設けてあることを特徴とする。
【００１３】
第１発明にあっては、箱内部の巻回方向が一方向となるように、光ファイバーケーブルの引込を行う複数の引込部を設けることで、いずれの引込部から光ファーバーケーブルを引き込んでも、同一の巻回方向になる。その結果、光ファイバーケーブル収納箱は信号変換器との接続性を確保した上で、光ファイバーケーブルの引込自由度を向上できる。また、このように、巻回方向を一方向に規定することで、安定した周回を行う巻回形態が形成でき、光ファイバーケーブル収納箱を小型化しても、限られた底面積の中で所要の曲率半径も確保しやすくなる。
【００１４】
第２発明に係る光ファイバーケーブル収納箱は、前記引込部が箱周壁に設けてあり、溝状又は穴状をなしてあることを特徴とする。
第２発明にあっては、引込部を箱周壁に設けることで、光ファイバーケーブル収納箱の外部周囲からスムーズに箱内部へ光ファイバーケーブルを引き込める。また、引込部を溝状にすると、光ファイバーケーブルの心線端末にコネクタを取り付けた状態でも自由に光ファイバーケーブルの箱内部に導くことができる。一方、穴状にすることで、一旦、引込部を通じて箱内部へ光ファイバーケーブルを引き込めば、容易に抜け落ちることがなくなり、光ファイバーケーブル収納箱の取付作業等を、引き込んだ光ファイバーケーブルの抜け落ち等を気にすることなく行える。
【００１５】
第３発明に係る光ファイバーケーブル収納箱は、前記箱周壁が角部を備え、前記引込部は前記周壁部の角部に設けてあることを特徴とする。
第３発明にあっては、箱周壁に角部を設けて箱周壁全体を矩形状等にすると、巻回された光ファイバーケーブルが角部と対向する箇所には空間が生じる。よって、このような箱周壁の角部の空間に引込部を設けることで、箱内部のデッドスペースとなる空間を有効利用して、光ファイバーケーブル収納箱の小型化に貢献できる。
【００１６】
第４発明に係る光ファイバーケーブル収納箱は、前記箱周壁の直交面に設けてある光ファーバーケーブルの巻回用の巻回部を備え、前記引込部は前記直交面における前記巻回部の巻回周面の内側に設けてあり、穴状をなしてあることを特徴とする。
【００１７】
第４発明にあっては、光ファイバーケーブル収納箱を建物等の壁に取り付ける場合、壁への取付側となる箱周壁の直交面に穴状の引込部を設けることで、建物の壁から取り出された光ファイバーケーブルを、引込部を通じてスムーズに箱内部に引き込むことができる。よって、光ファイバーケーブル収納箱を建物の壁へ取り付けても、光ファイバーケーブルを壁から引き出せると共に、引き出された光ファイバーケーブルは、そのまま光ファイバーケーブル収納箱へ引き込めるので、室内への露出も無くなり配線に係る見栄えを良好にできる。
【００１８】
また、光ファイバーケーブルの巻回用の巻回部を設けることにより、巻回に対する最小半径を規制でき、巻回に課せられる所要の曲率半径の確保も容易になると共に巻回軌跡も一定の箇所に位置決めできる。よって、上述した穴状の引込部を巻回周面の内側に設けることで、引き込んだ直後の光ファイバーケーブルと、巻回されている光ファイバーケーブルとの重なりを防止でき、引き込んだ直後の光ファイバーケーブルが応力等を受けるのを防止して、信頼性の高い光ファイバーケーブルの収納を確保できる。
【００１９】
なお、上述した巻回部は、所要の曲率半径確保及び巻回状態の安定化等の観点から、穴状の引込部の有無に関係なく光ファイバーケーブル収納箱に設けることが好適である。
【００２０】
第５発明に係る光ファイバーケーブル収納箱は、前記引込部が箱内部に光ファイバーケーブルの保持部を備えることを特徴とする。
第５発明にあっては、引込部に光ファイバーケーブルの保持部を設けることで、引き込み直後の光ファイバーケーブルが膨らんだり、巻回方向から逸れたりするのを防止し、正確な位置決めにより巻回方向を規制して限られたスペース内で整然とした巻回を実現できる。
【００２１】
第６発明に係る信号変換装置は、上述したいずれかの光ファイバーケーブル収納箱と、該光ファイバーケーブル収納箱に積層結合してあり、光電変換及び／又は電光変換を行う変換手段を収納する変換手段収納箱とを備えることを特徴とする。
【００２２】
第６発明にあっては、上述した種々の方向からの光ファイバーケーブルの引込が可能な小型の光ファイバーケーブル収納箱を、変換手段収納箱に積層結合することで、信号変換装置の平面視方向の面積を従来の信号変換装置に比べて大幅に小型化でき、信号変換装置の取扱性及び取付性等を向上できる。なお、光ファイバーケーブル収納箱に収納された光ファイバーケーブルは箱内部を通じて変換手段収納箱の変換手段と接続可能にすることが、ケーブル及び接続箇所の保護等の観点から好適である。
【００２３】
【発明の実施の形態】
以下、本発明をその実施の形態を示す図面に基づいて説明する。
図１、図２は、本発明の実施の形態に係る光ファイバーケーブル収納箱１０を示している。光ファイバーケーブル収納箱１０は、一面が開口した平面視で略矩形の筺体であり、周囲に箱周壁１１を立設した箱内部に、図３にも示すように、外部から光ファイバーケーブルＦを引き込んで、光ファイバーケーブルＦの端末側の樹脂被覆Ｆｂを除去した心線Ｆａの余長部分を巻回して収納している。
【００２４】
また、光ファイバーケーブル収納箱１０は、別体の光電変換及び電光変換を行う変換手段の信号変換器３１を収納する変換手段収納箱であるコンバータ３０と、底板部１３と対向する開口側で積層結合している。また、積層結合後は、収納された光ファイバーケーブルＦの端末のコネクタＣをコンバータ３０に設けられたレセプタクル３１ａへ挿入接続し、接続箇所の保護のためカバー３２を取り付けて信号変換装置４０を形成している。なお、光ファイバーケーブルＦは、露出させた心線Ｆａの途中にコネクタＣ側のケーブル心線Ｆａ１と融着接続したスプライス部Ｓを有している。
【００２５】
光ファイバーケーブル収納箱１０は、図１、２等に示すように、箱周壁１１の対向する短辺部１１ａ、１１ｂの一方の対角位置となる角部に第１引込部１２１及び第２引込部１２２を夫々設けている。第１及び第２引込部１２１、１２２は、箱周壁１１を上端から切り欠いた溝状であり、第１及び第２引込部１２１、１２２を通じて外部から箱内部へ光ファイバーケーブルＦを引き込むようにしている。
【００２６】
さらに、光ファイバーケーブル収納箱１０は、箱内部において箱周壁１１の直交面である底板部１３に、引き込んだ光ファイバーケーブルＦの心線Ｆａの巻回用となる巻回部１４を立設している。巻回部１４は図２に示すように、平面視で楕円状であり、分割された計４個の第１巻回壁部１４１、第２巻回壁部１４２、第３巻回壁部１４３及び第４巻回壁部１４４から構成されている。
【００２７】
これら第１巻回壁部１４１〜第４巻回壁部１４４の外周側の巻回周面１４１ａ〜１４４ａに、引き込んだ光ファーバーケーブルＦの心線Ｆａを巻回するようにしている。巻回部１４は全体を楕円状にすることで、限られた底板部１３において心線Ｆａの巻回曲率が緩やかになるようにしており、本実施形態では、図４に示すように、第１巻回壁部１４１〜第４巻回壁部１４４の曲率半径Ｒを３０ｍｍに設定して、光ファイバーケーブルＦに課せられる所要の曲率半径を底板部１３の限られた面積の中で確保している。
【００２８】
また、第３巻回壁部１４３及び第４巻回壁部１４４は、第２巻回壁部１４２の端部１４２ｂ及び第１巻回壁部１４１の端部１４１ｂと連続することなしに、第１巻回壁部１４１及び第２巻回壁部１４２の内側へ延出して、第１案内壁部１４５及び第２案内壁部１４６を形成している。さらに、光ファイバーケーブル収納箱１０は、第１及び第２案内壁部１４５、１４６の各端部の対向箇所の近傍で、第１巻回壁部１４１及び第２巻回壁部１４２の内側となる位置にスプライス収納部１５を設けている。
【００２９】
このスプライス収納部１５は、図５にも示すように、第１巻回壁部１４１及び第１案内壁部１４５との間に形成される溝空間を通じて巻回部１４で巻回されている心線Ｆａを導いて、スプライス部Ｓを収納している。また、スプライス部ＳのコネクタＣ側のケーブル心線Ｆａ１を、第２巻回壁部１４２及び第２案内壁部１４６との間に形成される溝空間から案内して巻回部１４へ引き出すようにしている。
【００３０】
また、図１、図２に示すように、スプライス収納部１５の近傍となる底板部１３には、矩形穴状の第３引込部１２３を設けている。第３引込部１２３の具体的な位置としては、分断された第１巻回壁部１４１及び第２巻回壁部１４２を結ぶ仮想巻回周面１４７（図２中、二点鎖線で示す）の内側に配置されている。
【００３１】
第３引込部１２３は、底板部１３に設けられることで、図１１に示す建物等の壁Ｗの穴Ｗａをふさぐように、光ファイバーケーブル収納箱１０が取り付けられた場合、穴Ｗａから引き出される光ファイバーケーブルＦを、図７（ａ）に示すように、第３引込部１２３を通じて箱内部に引き込めるようにしている。また、第３引込部１２３を仮想巻回周面１４７の内側に配置することで、引き込んだ光ファイバーケーブルＦの心線Ｆａが巻回部１４で巻回される心線Ｆａ及び被覆樹脂Ｆｂで被覆されたケーブル部分等と重ならないようにしている。
【００３２】
これら第１から第３引込部１２１〜１２３は、夫々上述した位置に設けることで、三方向からの光ファイバーケーブルＦの引込を可能にして、引込自由度を向上させている。また、第１から第３引込部１２１〜１２３のいずれから光ファイバーケーブルＦを引き込んでも巻回部１４での巻回方向は一方向となるように、引込方向も規制されている。
【００３３】
即ち、図６（ａ）に示すように、第１引込部１２１から光ファイバーケーブルＦを図中の黒矢印方向で引き込むと、光ファイバーケーブルＦの巻回部１４における巻回方向は、自然と時計の回転方向と同方向の白矢印方向になる。また、図６（ｂ）に示すように、第２引込部１２２から光ファイバーケーブルＦを図中の黒矢印方向で引き込むと、前記同様に、巻回部１４での光ファイバーケーブルＦの巻回方向は、時計回転方向（白矢印方向）になる。
【００３４】
さらに、図６（ｃ）に示すように第３引込部１２３から光ファイバーケーブルＦを図中の黒矢印方向で引き込むと、巻回部１４での光ファイバーケーブルＦの巻回方向は、第１引込部１２１及び第２引込部１２２と同様に、時計回転方向（白矢印方向）になる。
【００３５】
このように光ファイバーケーブル収納箱１０では、第１から第３引込部１２１〜１２３のいずれを通じて光ファイバーケーブルＦを引き込んでも、巻回部１４における巻回方向が同一になるので、図３に示すコンバータ３０のレセプタクル３１ａへスムーズにコネクタＣを挿入接続できる。
【００３６】
また、第１及び第２引込部１２１、１２２並びに底板部１３の第３引込部１２３には、図１、図２、図７（ａ）（ｂ）等に示すように、箱内部側に光ファイバーケーブルＦの保持部１６１、１６２、１６３を夫々備えている。これら保持部１６１〜１６３は、図６（ａ）（ｂ）（ｃ）で示したように、各引込部１２１〜１２３における引込方向（黒矢印方向）を規制するのに貢献している。
【００３７】
各保持部１６１〜１６３は略同等の構成であるため、図７（ｂ）に示すように第１引込部１２１の保持部１６１で構成を説明する。第１引込部１２１から壁部１６１ａ、１６１ｂを、箱内部側へ光ファイバーケーブルＦの引込方向を規制する向きに夫々平行となるように設けている。これら壁部１６１ａ、１６１ｂの対向する内面側には突起１６１ｃを複数設け、この突起１６１ｃで壁部１６１ａ、１６１ｂに嵌め込まれる光ファイバーケーブルＦの被覆樹脂Ｆｂの部分を保持するようにしている。
【００３８】
このように第１引込部１２１〜第３引込部１２３の近傍となる箱内部側に保持部１６１〜１６３を設けることで、引き込まれた直後の光ファイバーケーブルＦの引込方向を規制し、光ファイバーケーブル収納箱１０を小型化しても、巻回に不具合が生じないようにしている。特に、図７（ａ）に示すように、引込方向を規制するのが困難な、矩形穴状の第３引込部１２３から引き込まれた光ファイバーケーブルＦに対しても、保持部１６３に嵌め込んで保持することで確実に方向規制を行える。
【００３９】
さらに、保持部１６１〜１６３は光ファイバーケーブルＦ等にかかる応力等を受け止めており、光ファイバーケーブルＦに応力等が直接かかるのを防止してケーブル保護を図っている。
【００４０】
また、本実施形態の光ファイバーケーブル収納箱１０は、上述した各引込部１２１〜１２３、保持部１６１〜１６３及び巻回部１４等以外にも、図１、２等に示すように、箱周壁１１の四隅付近にガイド壁１７１〜１７４を設けており、図４で示すように巻回部１４との間に幅Ｗの光ファイバーケーブルＦの巻回周路を形成している。
【００４１】
よって、巻回部１４を中心に巻回される光ファイバーケーブルＦは、巻回部１４の外周面の直近で巻回される場合（図中二点鎖線で示す）から、ガイド壁１７１〜１７４側で巻回される場合（図中一点鎖線で示す）まで、種々の巻回状態に対応でき、巻回される光ファイバーケーブルＦの心線Ｆａに無理な応力がかかるのを低減すると共に、余長部分の処理長さを柔軟に調整できるようにしている。
【００４２】
さらに、光ファイバーケーブル収納箱１０は、図１、２等に示すように、巻回部１４の内部にコンバータ３０との結合用の突起１８１、１８２を設けてコンバータ３０との結合を容易に行えるようにしている。また、突起１８１、１８２の横近傍には、光ファイバーケーブル収納箱１０を取り付ける場合に使用するネジを貫通させるダルマ穴１９１、１９２も設けている。
【００４３】
なお、本発明に係る光ファイバーケーブル収納箱１０は上述した形態に限定されるものではなく、種々の変形例の適用が可能である。例えば、箱周壁１１に設ける第１引込部１２１、第２引込部１２２は穴状にしてもよく、また、保持部１６１〜１６３は、各引込部１２１〜１２３の直近ではなく、箱寸法等に応じて各引込部１２１〜１２３より少し離れた箇所に設けるようにしてもよい。さらに、図３のコンバータ３０の内部に設けられる信号変換器３１は、光電変換又は電光変換のいずれかのみに対応したものを適用してもよい。
【００４４】
さらに、また、図８の変形例の光ファイバーケーブル収納箱５０に示すように、上述した第１引込部１２１から第３引込部１２３と同位置に設けた引込部２２１〜２２３に加えて、引込部２２１、２２２が設けられた角部５１ｅ、５１ｆ以外の箱周壁５１の角部５１ｇ、５１ｈに引込部２２１、２２２と直交する向きの角引込部２２４、２２５を設けることも可能である。
【００４５】
また、箱周壁５１の対向する短辺部５１ａ、５１ｂに巻回部５４の巻回方向へ傾斜した向きの短辺引込部２２６、２２７を設けることもでき、さらに長辺部５１ｃ、５１ｄにも巻回方向の向きに傾斜した長辺引込部２２８、２２９を設けることも可能である。さらに、また、巻回部５４の内側にも内側引込部２３０を設けることができる。
【００４６】
このような種々の箇所のいずれかに引込部を複数設けることで、光ファイバーケーブル収納箱は種々の方向から光ファイバーケーブルをスムーズに箱内部に引き込んで余長処理を行うことができる。また、上述した各引込部２２４〜２３０にも、引込部２２１〜２２３と同様に保持部を設けることで引込方向を規制でき、特に、傾斜した向きの各引込部２２６〜２２９には、傾斜した向きに保持部を設けることで、確実に巻回方向へ合わせた引込ができる。
【００４７】
【発明の効果】
以上に詳述した如く、第１発明にあっては、巻回方向が一方向となるように、光ファイバーケーブルの引込を規制した複数の引込部を光ファイバーケーブル収納箱に設けることにより、小型化を確保した上で、光ファイバーケーブルの引込自由度を向上できる。
【００４８】
第２発明にあっては、溝状又は穴状の引込部を箱周壁に設けることで、外部周囲からスムーズに箱内部へ光ファイバーケーブルを引き込める。
第３発明にあっては、箱周壁の角部に引込部を設けることで、箱内部の空間を効率良く使用でき、小型化した光ファイバーケーブル収納箱でも所要の曲率半径を確保できる。
【００４９】
第４発明にあっては、光ファイバーケーブル収納箱を建物等の壁に取り付ける場合でも、光ファイバーケーブルをスムーズに箱内部に引き込むことができる。第５発明にあっては、引込部に光ファイバーケーブルの保持部を設けることで、引込方向を規制して限られたスペース内でも整然とした巻回を実現できる。
【００５０】
第６発明にあっては、光ファイバーケーブルの引込性に優れる小型の光ファイバーケーブル収納箱を、変換手段収納箱に積層結合することで、信号変換装置全体の小型化も実現できる。
【図面の簡単な説明】
【図１】本発明の実施の形態に係る光ファイバーケーブル収納箱の斜視図である。
【図２】実施の形態の光ファイバーケーブル収納箱の平面図である。
【図３】本発明に係る信号変換装置の分解斜視図である。
【図４】光ファイバーケーブル収納箱の概略平面図である。
【図５】スプライス収納部の斜視図である。
【図６】（ａ）（ｂ）（ｃ）は光ファイバーケーブル収納箱における各引込部からの光ファイバーケーブルの引込方向及び箱内部での巻回方向の関係を示す概略平面図である。
【図７】（ａ）（ｂ）は、各引込部から引き込んだ光ファイバーケーブルを保持部に嵌め込む状態を示す概略図である。
【図８】変形例の光ファイバーケーブル収納箱を示す概略平面図である。
【図９】従来の信号変換装置の分解斜視図である。
【図１０】想定される光ファイバーケーブル収納箱の問題点を示す概略図である。
【図１１】建物の壁等から光ファイバーケーブルを引き出した状態を示す概略図である。
【符号の説明】
１０　光ファイバーケーブル収納箱
１１　箱周壁
１３　底板部
１４　巻回部
１５　スプライス収納部
３０　コンバータ
３１　信号変換器
４０　信号変換装置
１２１　第１引込部
１２２　第２引込部
１２３　第３引込部
１６１〜１６３　保持部
Ｆ　光ファイバーケーブル
Ｆａ　心線
Ｆｂ　被覆樹脂
Ｃ　コネクタ
Ｓ　スプライス部
【図１】
2004061984.tif 000003
【図２】
2004061984.tif 000004
【図３】
2004061984.tif 000005
【図４】
2004061984.tif 000006
【図５】
2004061984.tif 000007
【図６】
2004061984.tif 000008
【図７】
2004061984.tif 000009
【図８】
2004061984.tif 000010
【図９】
2004061984.tif 000011
【図１０】
2004061984.tif 000012
【図１１】
2004061984.tif 000013